(57)【特許請求の範囲】
【請求項１】
排気マニホールドと触媒ケースが一体形成され、触媒ケースの出口下流側にアウトレットが摩擦圧接で接合される排気マニホールドにおいて、前記アウトレットには、前記触媒ケース内の触媒の位置ズレ防止と、前記摩擦圧接時の溶バリの侵入防止を兼ねるストッパーが一体形成されていることを特徴とする排気マニホールド。
【請求項２】
前記ストッパーには、前記触媒が接触し得る突出受部が内側へ向かって数個所に突出形成されていることを特徴とする請求項１に記載の排気マニホールド。
【発明の詳細な説明】
【０００１】
【産業上の利用分野】
この発明は、排気マニホールドに関するものである。
【０００２】
【従来の技術及びその課題】
従来、図１２に示すように、排気マニホールド１の下流端と、触媒３を入れた触媒ケース２とが、触媒ケース２の上面に外側へ突出形成されたフランジ２ａで摩擦圧接により接合されており、この摩擦圧接による排気マニホールド１と触媒ケース２の一体化構造は、ボルトによる締結方式に比べて、ボルトを廃止することができ、安価に製造できて、かつコンパクト化することができるものであるが、触媒ケース２内での触媒３の位置決めを行うために、触媒ケース２の下面に、触媒３を受ける受段部２ｂが形成されており、触媒ケース２内に触媒３を挿入後、触媒ケース２の上面と排気マニホールド１を摩擦圧接で接合しており、このような構造では、摩擦圧接面Ｐが触媒３の上流側にあるため、摩擦圧接時に発生する溶バリが、エンジンの運転中に脱落して、触媒３を破損させる虞れがあり、摩擦圧接時の溶バリの発生量の管理とか、溶バリの脱落を防ぐ脱落防止壁などの対策を施す必要があった。
【０００３】
また、触媒３を良好に位置決めして固定する方法として、図１３に示すように、触媒ケース２の外側から、触媒３を位置決めする位置決めボルト５１，５１を、図１４に示すように円周方向に複数本配設する方法があるが、この方法によれば、触媒ケース２の下流端をアウトレット４のフランジ部４ａに摩擦圧接して接合し、触媒３の下流側に摩擦圧接面Ｐを設けることが可能であるが、近年の触媒３は、効率を向上させるために容積に対する表面積の増大が図られており、触媒３の薄肉化が進んでいるため、触媒３の強度が低く、そのため位置決めボルト５１で触媒３を保持するためには、位置決めボルト５１の１本当たりの荷重を少なくする必要から、数多くの位置決めボルト５１が必要で、かつ触媒３内への位置決めボルト５１の挿入代を深くする必要があり、長いボルトを使う必要があり、また、触媒３の内部は８００℃〜９００℃の高温となるため、位置決めボルト５１は耐熱ボルトを用いる必要があり、高価なものとなってしまうという問題点があった。
【０００４】
【課題を解決するための手段】
本発明は上記従来の問題点に鑑み案出したものであって、溶バリによる触媒の破損を防ぎ、高価な耐熱ボルトを使用することなく、安価に信頼性を高めて製造することのできる排気マニホールドを提供せんことを目的とし、その第１の要旨は、排気マニホールドと触媒ケースが一体形成され、触媒ケースの出口下流側にアウトレットが摩擦圧接で接合される排気マニホールドにおいて、前記アウトレットには、前記触媒ケース内の触媒の位置ズレ防止と、前記摩擦圧接時の溶バリの侵入防止を兼ねるストッパーが一体形成されていることである。
また、第２の要旨は、前記ストッパーには、前記触媒が接触し得る突出受部が内側へ向かって数個所に突出形成されていることである。
【０００５】
【実施例】
以下、本発明の実施例を図面に基づいて説明する。
図１は、排気マニホールドの斜視構成図であり、図２は、その断面構成図である。
【０００６】
図において、排気マニホールド１と触媒ケース２は鋳造で一体形成されており、触媒ケース２の下流端にアウトレット４が摩擦圧接により接合されて構成されており、アウトレット４には、触媒ケース２の下流端を摩擦圧接するためのフランジ部４ａが外側へ突出形成されており、このフランジ部４ａに触媒ケース２の下流端を当接させて圧力を加え、互いに相対速度を与えて摩擦熱を発生させ、摩擦熱によりフランジ部４ａと触媒ケース２の下流端を溶融させて、さらに相対速度による滑り方向と垂直方向に大きな圧力を与えて溶融層を外側に排出して、両者を摩擦接合面Ｐで固体接合するものであるが、摩擦圧接時には溶バリが発生し、この溶バリの内側への侵入を防ぐ役割を持たせるため、アウトレット４のフランジ部４ａの内周側には、上流側に向かって突出したストッパー５が一体形成されており、このストッパー５は、触媒３が下流側へ位置ズレするのを防ぐためのものでもある。
【０００７】
なお、触媒ケース２内に触媒３を挿入した後に、アウトレット４を摩擦接合する時に、ストッパー５と触媒３間にも相対速度が発生して、触媒３とストッパー５が接触してしまうと、触媒３が破損される虞れがあるため、摩擦圧接時には、触媒３とストッパー５の上流端の当接面５ａとの間には、最低２mm以上のクリアランスが図３のｂで示すように設けてある。
なお、エンジンの運転中に高速の排気ガスが触媒３内を流れ、その排気ガスによる圧力と、エンジンの運転による振動により、徐々に触媒３は下流側へ移動して、ストッパー５の当接面５ａに当接し、触媒３の移動が停止されるように構成されている。
【０００８】
このストッパー５の半径方向の幅長ａは、触媒３の半径の６％以上に設定されて、排気ガスによる圧力に耐えるように設計されている。
例えば、触媒３の半径が５０mmである場合には、ストッパー５の半径方向の幅長ａは４mmであり、図４の平面図で示すように、ストッパー５の外周と触媒３の外周間には１．５mm〜２mm程度の外周部が形成されるように設定されており、ストッパー５の当接面５ａの面積は、触媒３の断面積の１０％以上となるように設定されている。
【０００９】
このように、触媒３はハニカム状断面であるため、壊れやすいために、前述したストッパー５の幅長ａ及び面積を設定して、ストッパー５の当接面５ａと触媒３が当接した時の、触媒３の破損を防ぐように構成されている。
触媒３の破損を防ぐためには、ストッパー５の当接面５ａの幅長ａは大の方が良いのであるが、あまり幅長ａが大であると、逆に不活性域が増大してしまうという新たな問題点が発生する。即ち、触媒３の径が大きい場合にストッパー５の半径方向の幅長ａを６％以上確保しようとすると、ストッパー５の幅長ａが厚くなりすぎ、図５に示すように、排気ガスが触媒３を通らない不活性域Ｓが増大する。特に、外周部近傍では触媒ケース２の内壁との摩擦のため排気ガスの流速が小さくなり、ストッパー５による堰により不活性域Ｓが増大し、これにより触媒３の効果的な利用が妨げられることとなる。
【００１０】
従って、このような事態を解決するために、図６の断面図で、また図７の平面図で示すように、前記アウトレット４のストッパー５の内周に、当接面５ａと水平状に半径方向内側へ突出させて所定間隔で複数の突出受部５ｂ，５ｂ，５ｂを一体形成させておくことができ、ストッパー５の基本的な半径方向の幅ａは極力小さく設定したままでも突出受部５ｂにより触媒３の接触面が増大されることとなり、触媒３を破損させることなく良好に位置決めすることができるものとなる。なお、この突出受部５ｂの先端付近では、排気ガスの流速が速くなり、排気ガスの周囲からの巻き込みなどによって、触媒３の不活性域を小さくすることができる効果もある。
【００１１】
なお、この突出受部５ｂは、図８の平面図で、また図９の縦断面図で示すように、ストッパー５の内周間を連結するように橋状の突出受橋部５ｂとして形成することもでき、この突出受橋部５ｂは３本で形成しても、また、図１０の平面図及び図１１の縦断面図で示すように、１本で形成したものであっても良く、この突出受橋部５ｂで良好に触媒３を受けて、触媒３との接触面積の不足を良好に補うことができるものとなる。
【００１２】
【発明の効果】
本発明は、排気マニホールドと触媒ケースが一体形成され、触媒ケースの出口下流側にアウトレットが摩擦圧接で接合される排気マニホールドにおいて、前記アウトレットには、前記触媒ケース内の触媒の位置ズレ防止と、前記摩擦圧接時の溶バリの侵入防止を兼ねるストッパーが一体形成されていることにより、摩擦圧接による接合面は触媒の下流側に配置されるものであるため、摩擦圧接時に発生する溶バリの脱落による触媒の破損を良好に防止することができ、また、アウトレットには溶バリの侵入を防ぐ堰を兼用した触媒位置ズレ防止用のストッパーが設けられているため、従来のように触媒の位置決めボルトを用いることなく、良好に触媒を位置決めして安価に製作することができるものとなる。
【００１３】
また、前記ストッパーには、前記触媒が接触し得る突出受部が内側へ向かって数個所に突出形成されていることにより、触媒内の排気ガスの通過しない不活性域を小さくできて、かつ、触媒を確実に保持することができる効果を有する。
【図面の簡単な説明】
【図１】排気マニホールドの斜視構成図である。
【図２】図１の縦断面構成図である。
【図３】図２の要部拡大図である。
【図４】図３における触媒とストッパーの位置関係を示す平面構成図である。
【図５】ストッパーの半径方向幅が大な時に、排気ガスの不活性域が発生する説明断面構成図である。
【図６】ストッパーに突出受部を形成させた縦断面構成図である。
【図７】図６の平面構成図である。
【図８】突出受部を橋状に形成した場合の平面構成図である。
【図９】図８の縦断面構成図である。
【図１０】さらに突出受橋部を１本で形成した場合の平面構成図である。
【図１１】図１０の縦断面構成図である。
【図１２】従来の排気マニホールドの縦断面構成図である。
【図１３】従来、位置決めボルトを用いて触媒を位置決めする構造の縦断面構成図である。
【図１４】図１３の触媒部分の平面構成図である。
【符号の説明】
１  排気マニホールド
２  触媒ケース
３  触媒
４  アウトレット
４ａ  フランジ部
５  ストッパー
５ａ  当接面
５ｂ  突出受部（突出受橋部）
Ｓ  不活性域
Ｐ  摩擦接合面
【図１】
0003697982.tif 000002
【図２】
0003697982.tif 000003
【図３】
0003697982.tif 000004
【図４】
0003697982.tif 000005
【図５】
0003697982.tif 000006
【図６】
0003697982.tif 000007
【図７】
0003697982.tif 000008
【図８】
0003697982.tif 000009
【図９】
0003697982.tif 000010
【図１０】
0003697982.tif 000011
【図１１】
0003697982.tif 000012
【図１２】
0003697982.tif 000013
【図１３】
0003697982.tif 000014
【図１４】
0003697982.tif 000015